(57)【要約】【課題】パネルに発生する音響ノイズを低減する。【解決手段】複数の放電セルを間に置いて対向して配置される前面基板１０ａおよび背面基板２０ａを有するプラズマディスプレイパネルにおいて、プラズマディスプレイパネルの画面に対して垂直な方向に凸または凹となるように、前面基板１０ａと背面基板２０ａとを予め成形する。【選択図】        図１
2004214096.tif 000002
【特許請求の範囲】
【請求項１】
複数の放電セルを間に置いて対向して配置される前面基板および背面基板を有するプラズマディスプレイパネルにおいてパネルに発生する音響ノイズを低減する音響ノイズ低減方法であって、
プラズマディスプレイパネルの画面に対して垂直な方向に凸または凹となるように、前記前面基板と前記背面基板とを予め成形しておくことを特徴とするプラズマディスプレイパネルの音響ノイズ低減方法。
【請求項２】
複数の放電セルを間に置いて対向して配置される前面基板および背面基板を有するプラズマディスプレイパネルにおいて、
前記前面基板と前記背面基板とは、プラズマディスプレイパネルの画面に対して垂直な方向に凸または凹の形状であることを特徴とするプラズマディスプレイパネル。
【発明の詳細な説明】
【０００１】
【発明の属する技術分野】
本発明は、プラズマディスプレイパネルに係り、特にパネルに発生する音響ノイズを低減することができる音響ノイズ低減方法およびプラズマディスプレイパネルに関するものである。
【０００２】
【従来の技術】
マルチメディア時代の到来に伴い、既存のものに比べ細密でかつサイズが大きく、自然色に近い色が表現できるようなディスプレイが要求されている。特に、大型のディスプレイに対しては、現在のＣＲＴ構造やＬＣＤ構造では限界があるので、プラズマディスプレイパネルが次世代のディスプレイとして脚光を浴びている。
【０００３】
プラズマディスプレイパネルは、図２に示すような前面基板１０と背面基板２０とを所定の高さの空間を保って貼り合わせた構造を有する。前面基板１０上には、互いに平行なスキャン電極１１とサステイン電極１２とが形成され、これらを覆うように誘電体層１３と保護膜１４とが積層される。一方、背面基板２０上には、スキャン電極１１およびサステイン電極１２と直交する方向にアドレス電極２１が形成され、アドレス電極２１を含む背面基板全面に誘電体層２２が形成され、この誘電体層２２の上に各放電セル領域を区分するための隔壁２３が形成され、さらに誘電体層２２および隔壁２３の表面に蛍光体２４が塗布される。
【０００４】
以上のプラズマディスプレイパネルの動作について簡単に説明すると、次の通りである。まず、任意の放電セル内のスキャン電極１１とアドレス電極２１との間に駆動電圧を供給すると、スキャン電極１１とアドレス電極２１との間に位置しているセル内部に書込放電が起こる。その後、スキャン電極１１とサステイン電極１２に放電電圧を供給すると、書込放電が起こった放電セル、すなわち選択された放電セル内のスキャン電極１１とサステイン電極１２との間に維持放電が起こってセルの発光が一定時間維持される。
【０００５】
この維持放電が起こったセル内では、電極間の放電により電界が発生して放電ガス中の微量電子が加速され、加速された電子とガス中の中性粒子とが衝突して電子とイオンとに電離し、さらに電離した電子と中性粒子との他の衝突等により、中性粒子がより速く電子とイオンとに電離し、放電ガスがプラズマ状態になると共に、真空紫外線が発生する。このように発生した紫外線が蛍光体２４を励起させて可視光を発生させ、さらに発生した可視光が前面基板１０を通して外部に放射されると、外部で任意のセルの発光、すなわち画像表示を認識することができる。なお、出願人は、出願時までに本発明に関連する先行技術文献を発見することはできなかった。よって、先行技術文献情報を開示していない。
【０００６】
【発明が解決しようとする課題】
従来のプラズマディスプレイパネルでは、前面基板１０の構造と背面基板２０の構造とを別々に作製した後、例えば低融点ガラスからなる封着部材により前面基板１０と背面基板２０とを貼り合わせて封着し、封着したプラズマディスプレイパネルの内部を排気した後、放電ガスを内部に封入している。放電ガスの圧力は、４００Ｔｏｒｒ程度（大気に対して負圧）に設定されている。
【０００７】
しかしながら、封着したパネル内では、前面基板１０に形成した保護膜１４と背面基板２０に形成した隔壁２３とが密着していない密着不全箇所が局所的に存在し、この密着不全箇所では保護膜１４と隔壁２３との間が空くことになる。前述のように、プラズマディスプレイパネルの各電極に電圧を印加すると、電界によるマクスウェル（Ｍａｘｗｅｌｌ  ）の応力により、サステイン電極１２（またはスキャン電極１１）とアドレス電極２１との間に吸引力が働く。したがって、前記密着不全箇所では、吸引力が発生すると保護膜１４と隔壁２３とが密着し、電圧印加がオフになって吸引力がなくなると保護膜１４と隔壁２３とが離れるといった現象が繰り返し発生する。このような現象の発生は前面基板１０と背面基板２０に定在波が発生することを意味し、プラズマディスプレイパネルが振動する音響ノイズとなる。
【０００８】
以上のように、従来のプラズマディスプレイパネルでは、保護膜１４と隔壁２３との密着不全により、パネルに音響ノイズが発生するという問題点があった。従来のプラズマディスプレイパネルでは、放電ガスの圧力を４００Ｔｏｒｒ程度に設定することにより、大気圧でパネル全体を押さえ込むようにしていたが、このような方法ではパネルに発生する音響ノイズを低減するには不十分であった。
【０００９】
本発明は、上記課題を解決するためになされたもので、パネルに発生する音響ノイズを低減することができる音響ノイズ低減方法およびプラズマディスプレイパネルを提供することを目的とする。
【００１０】
【課題を解決するための手段】
本発明は、複数の放電セルを間に置いて対向して配置される前面基板および背面基板を有するプラズマディスプレイパネルにおいてパネルに発生する音響ノイズを低減する音響ノイズ低減方法であって、プラズマディスプレイパネルの画面に対して垂直な方向に凸または凹となるように、前記前面基板と前記背面基板とを予め成形しておくようにしたものである。前面基板と背面基板とを湾曲させておくことにより、前面基板と背面基板の強度を増すことができる。
また、本発明のプラズマディスプレイパネルにおいて、前記前面基板と前記背面基板とは、プラズマディスプレイパネルの画面に対して垂直な方向に凸または凹の形状である。
【００１１】
【発明の実施の形態】
以下、本発明の実施の形態について図面を参照して詳細に説明する。図１は、本発明の実施の形態となるプラズマディスプレイパネルの構造を示す断面図である。例えばガラスからなる前面基板（Ｆｒｏｎｔ−Ｐｌａｔｅ）１０ａ上には、互いに平行なスキャン電極１１とサステイン電極１２とが形成され、これらを覆うように誘電体層１３と保護膜１４とが積層される。スキャン電極１１とサステイン電極１２とは、それぞれ透明電極と透明電極より幅の狭い金属バス電極とから構成される。保護膜１４の材料としては酸化マグネシウム（ＭｇＯ）が利用される。
【００１２】
一方、例えばガラスからなる背面基板（Ｂａｃｋ−Ｐｌａｔｅ）２０ａ上には、前面基板１０ａのスキャン電極１１およびサステイン電極１２と直交する方向にアドレス電極２１が形成され、アドレス電極２１を含む背面基板全面に誘電体層２２が形成され、この誘電体層２２の上に各放電セル領域を区分するための隔壁（リブ）２３が形成され、さらに誘電体層２２および隔壁２３の表面に蛍光体２４が塗布される。誘電体層１３，２２および隔壁２３の材料としてはガラスが利用される。
【００１３】
本実施の形態では、プラズマディスプレイパネルの画面（図２における前面基板１０の上面）に対して垂直な方向に凸または凹となるように、前面基板１０ａと背面基板２０ａとを予め僅かに湾曲させて成形しておく。前面基板１０ａと背面基板２０ａとは、前面基板１０ａが凸形であれば、背面基板２０ａも凸形とし、前面基板１０ａが凹形であれば、背面基板２０ａも凹形というように同一の方向に湾曲させる。図１の例では、前面基板１０ａと背面基板２０ａとを上に凸の断面形状にしている。また、前面基板１０ａと背面基板２０ａの形状は、円筒の一部を切り取った形状でもよいし、球の一部を切り取った形状でもよい。
【００１４】
以上のような前面基板１０ａの構造と背面基板２０ａの構造とを別々に作製した後、前面基板１０ａの保護膜１４を下にして、前面基板１０ａと背面基板２０ａとを向かい合わせ、例えば低融点ガラスからなる封着部材２５により前面基板１０ａと背面基板２０ａとを貼り合わせて封着する。そして、封着したプラズマディスプレイパネルの内部を排気した後、放電ガスを内部に封入する。こうして、プラズマディスプレイパネルの作製が終了する。
【００１５】
前面基板１０ａと背面基板２０ａとを湾曲させておくことにより、前面基板１０ａと背面基板２０ａの強度を増すことができるので、前面基板１０ａに形成した保護膜１４と背面基板２０ａに形成した隔壁２３との密着不全があったとしても、振動を抑えることができる。
【００１６】
【発明の効果】
本発明によれば、プラズマディスプレイパネルの画面に対して垂直な方向に凸または凹となるように、前面基板と背面基板とを予め成形しておくことにより、前面基板と背面基板の強度を増すことができるので、前面基板に形成した保護膜と背面基板に形成した隔壁との密着不全があったとしても、この密着不全を原因とする振動を抑えることができ、プラズマディスプレイパネルに発生する音響ノイズを減少させることができる。
【図面の簡単な説明】
【図１】本発明の実施の形態となるプラズマディスプレイパネルの構造を示す断面図である。
【図２】従来のプラズマディスプレイパネルの構造を示す分解斜視図である。
【符号の説明】
１０ａ…前面基板、１１…スキャン電極、１２…サステイン電極、１３…誘電体層、１４…保護膜、２０ａ…背面基板、２１…アドレス電極、２２…誘電体層、２３…隔壁、２４…蛍光体、２５…封着部材。
【図１】
2004214096.tif 000003
【図２】
2004214096.tif 000004